(57)【特許請求の範囲】
【請求項１】
光学表示部品の一方の面に、前記光学表示部品の表示領域よりも大きい第一光学部材シートを貼り合わせる第一貼合装置と、
前記第一光学部材シートを貼り合わせた後の前記光学表示部品を撮像する撮像装置と、
前記撮像装置による前記光学表示部品の撮像データに基づいて、前記光学表示部品の表示領域の外周縁に沿って前記第一光学部材シートを切断することにより、前記第一貼合装置が貼合した前記第一光学部材シートの領域であって前記光学表示部品の前記表示領域と対向する第一領域と、前記第一光学部材シートの前記第一領域の外側の領域である第二領域とを切り離す切断装置と、
を備える光学部材貼合体の製造システム。
【請求項２】
前記切断装置は、前記第一光学部材シートをレーザーカットする請求項１に記載の光学部材貼合体の製造システム。
【請求項３】
前記切断装置は、ＣＯ２レーザーカッターを用いて前記第一光学部材シートをレーザーカットする請求項２に記載の光学部材貼合体の製造システム。
【請求項４】
前記切断装置は、
前記第一光学部材シートから前記表示領域に対応する大きさの前記第一光学部材シートを切り出すことで、前記光学表示部品及び前記第一光学部材シートを含む光学部材貼合体を切り出す請求項１に記載の光学部材貼合体の製造システム。
【請求項５】
前記第一貼合装置は、前記第一領域として、前記表示領域の大きさ以上であって、前記光学表示部品の外形状の大きさ以下の領域を用いる請求項１に記載の光学部材貼合体の製造システム。
【請求項６】
前記第一貼合装置は、
前記第１光学部材シートの下面と、前記光学表示部品の上面とが接するように貼合する請求項１に記載の光学部材貼合体の製造システム。
【請求項７】
前記撮像装置として、前記光学表示部品を撮像し、前記光学表示部品の前記表示領域の外周縁を検出する撮像装置を備える請求項１に記載の光学部材貼合体の製造システム。
【請求項８】
前記撮像装置は、ライン上を搬送される複数の光学表示部品に対し、前記光学表示部品ごとに、前記第一光学部材シートを貼り合わせた後の前記光学表示部品を撮像する請求項１に記載の光学部材貼合体の製造システム。
【請求項９】
前記光学表示部品を、前記第一貼合装置、前記切断装置の順に搬送する第一搬送装置を更に備える請求項１に記載の光学部材貼合体の製造システム。
【請求項１０】
前記第一光学部材シートを、前記第一貼合装置に搬送する第二搬送装置を更に備える請求項１に記載の光学部材貼合体の製造システム。
【請求項１１】
前記第二搬送装置は、
前記切断装置で切り離した前記第一光学部材シートの前記第二領域を回収する回収部を備える請求項１０に記載の光学部材貼合体の製造システム。
【請求項１２】
光学表示部品の他方の面に、前記光学表示部品の表示領域よりも大きい第二光学部材シートを貼り合わせる第二貼合装置を更に備える請求項１に記載の光学部材貼合体の製造システム。
【請求項１３】
前記切断装置は、
前記第二貼合装置が貼合した前記第二光学部材シートの領域であって前記光学表示部品の前記表示領域と対向する第三領域と、前記第二光学部材シートの前記第三領域の外側の領域である第四領域とを、前記第一領域と前記第二領域とを切り離すと同時に切り離す請求項１２に記載の光学部材貼合体の製造システム。
【請求項１４】
光学表示部品の一方の面に、前記光学表示部品の表示領域よりも大きい第一光学部材シートを貼り合わせ、
前記第一光学部材シートを貼り合わせた後の前記光学表示部品を撮像し、
前記光学表示部品の撮像データに基づいて、前記光学表示部品の表示領域の外周縁に沿って前記第一光学部材シートを切断することにより、貼合した前記第一光学部材シートの領域であって前記光学表示部品の前記表示領域と対向する第一領域と、前記第一光学部材シートの前記第一領域の外側の領域である第二領域とを切り離す
光学部材貼合体の製造方法。
【請求項１５】
前記光学表示部品を撮像する工程では、ライン上を搬送される複数の光学表示部品に対し、前記光学表示部品ごとに、前記第一光学部材シートを貼り合わせた後の前記光学表示部品を撮像する請求項１４に記載の光学部材貼合体の製造方法。
【請求項１６】
光学表示部品の一方の面に、前記光学表示部品の表示領域よりも大きい第一光学部材シートを貼り合わせ、
前記光学表示部品ごとに、前記第一光学部材シートを貼り合わせた後の前記光学表示部品を撮像し、
前記光学表示部品の撮像データに基づいて、前記光学表示部品の表示領域の外周縁に沿って前記第一光学部材シートを切断することにより、貼合した前記第一光学部材シートの領域であって前記光学表示部品の前記表示領域と対向する第一領域と、前記第一光学部材シートの前記第一領域の外側の領域である第二領域とを切り離す
ことを実行するプログラムを記録したコンピュータ読み取り可能な記録媒体。
【請求項１７】
前記光学表示部品を撮像する工程では、ライン上を搬送される複数の光学表示部品に対し、前記光学表示部品ごとに、前記第一光学部材シートを貼り合わせた後の前記光学表示部品を撮像する請求項１６に記載の記録媒体。
【発明の詳細な説明】
【技術分野】
【０００１】
本発明は、光学表示部品に光学部材を貼合してなる光学部材貼合体の製造システム、製造方法及び記録媒体に関する。
【背景技術】
【０００２】
従来、液晶ディスプレイ等の光学表示デバイスの生産システムが知られている。この生産システムでは、液晶パネル（光学表示部品）に貼合する偏光板等の光学部材は、長尺フィルムから液晶パネルの表示領域に合わせたサイズのシート片に切り出される。その後、光学部材は、液晶パネルに貼合される（例えば、特許文献１参照）。
【先行技術文献】
【特許文献】
【０００３】
【特許文献１】特開２００３−２５５１３２号公報
【発明の概要】
【発明が解決しようとする課題】
【０００４】
しかし、上記従来の構成では、液晶パネル及びシート片の各寸法バラツキ、並びに液晶パネルに対するシート片の貼合バラツキ（位置ズレ）を考慮して、表示領域よりも若干大きめのシート片を切り出している。そのため、表示領域の周辺部に余分な領域（額縁部）が形成され、機器の小型化が阻害されるという問題がある。
【０００５】
本発明は上記事情に鑑みてなされたもので、表示領域周辺の額縁部を縮小して表示エリアの拡大及び機器の小型化を図ることができる光学部材貼合体の製造システム、製造方法及び記録媒体を提供する。
【課題を解決するための手段】
【０００６】
本発明の第１の態様は、光学表示部品の一方の面に、前記光学表示部品の表示領域よりも大きい第一光学部材シートを貼り合わせる第一貼合装置と、前記第一光学部材シートを貼り合わせた後の前記光学表示部品を撮像する撮像装置と、前記撮像装置による前記光学表示部品の撮像データに基づいて、前記光学表示部品の表示領域の外周縁に沿って前記第一光学部材シートを切断することにより、前記第一貼合装置が貼合した前記第一光学部材シートの領域であって前記光学表示部品の前記表示領域と対向する第一領域と、前記第一光学部材シートの前記第一領域の外側の領域である第二領域とを切り離す切断装置と、を備える光学部材貼合体の製造システムである。
なお、上記構成中の「第一領域（表示領域との対向部分）」とは、表示領域の大きさ以上、光学表示部品の外形状の大きさ以下の領域で、かつ電気部品取り付け部等の機能部分を避けた領域を示す。すなわち、上記構成は、光学表示部品の外周縁に沿って余剰部分をレーザーカットする場合を含む。
前記撮像装置は、ライン上を搬送される複数の光学表示部品に対し、前記光学表示部品ごとに、前記第一光学部材シートを貼り合わせた後の前記光学表示部品を撮像してもよい。
【０００７】
本発明の第１の態様において、前記切断装置は、前記第一光学部材シートをレーザーカットしても良い。
【０００８】
本発明の第１の態様において、前記切断装置は、ＣＯ２レーザーカッターを用いて前記第一光学部材シートをレーザーカットしても良い。
【０００９】
本発明の第１の態様において、前記切断装置は、前記第一光学部材シートから前記表示領域に対応する大きさの前記第一光学部材シートを切り出すことで、前記光学表示部品及び前記第一光学部材シートを含む光学部材貼合体を切り出しても良い。
【００１０】
本発明の第１の態様において、前記第一貼合装置は、前記第一領域として、前記表示領域の大きさ以上であって、前記光学表示部品の外形状の大きさ以下の領域を用いても良い。
【００１１】
本発明の第１の態様において、前記第一貼合装置は、前記第１光学部材シートの下面と、前記光学表示部品の上面とが接するように貼合しても良い。
【００１２】
本発明の第１の態様において、前記撮像装置として、前記光学表示部品を撮像し、前記光学表示部品の前記表示領域の外周縁を検出する撮像装置を備えても良い。
【００１３】
本発明の第１の態様において、前記切断装置は、前記撮像装置が検出した前記光学表示部品の前記表示領域の外周縁に沿って、前記第一光学部材シートを切断しても良い。
【００１４】
本発明の第１の態様において、前記光学表示部品を、前記第一貼合装置、前記切断装置の順に搬送する第一搬送装置を更に備えても良い。
【００１５】
本発明の第１の態様において、前記第一光学部材シートを、前記第一貼合装置に搬送する第二搬送装置を更に備えても良い。
【００１６】
本発明の第１の態様において、前記第二搬送装置は、前記切断装置で切り離した前記第一光学部材シートの前記第２領域を回収する回収部を備えても良い。
【００１７】
本発明の第１の態様において、光学表示部品の他方の面に、前記光学表示部品の表示領域よりも大きい第二光学部材シートを貼り合わせる第二貼合装置を更に備えても良い。
【００１８】
本発明の第１の態様において、前記切断装置は、前記第二貼合装置が貼合した前記第二光学部材シートの領域であって前記光学表示部品の前記表示領域と対向する第三領域と、前記第二光学部材シートの前記第三領域の外側の領域である第四領域とを、前記第一領域と前記第二領域とを切り離すと同時に切り離しても良い。
【００１９】
本発明の第２の態様は、光学表示部品の一方の面に、前記光学表示部品の表示領域よりも大きい第一光学部材シートを貼り合わせ、前記第一光学部材シートを貼り合わせた後の前記光学表示部品を撮像し、前記光学表示部品の撮像データに基づいて、前記光学表示部品の表示領域の外周縁に沿って前記第一光学部材シートを切断することにより、貼合した前記第一光学部材シートの領域であって前記光学表示部品の前記表示領域と対向する第一領域と、前記第一光学部材シートの前記第一領域の外側の領域である第二領域とを切り離す光学部材貼合体の製造方法である。
前記光学表示部品を撮像する工程では、ライン上を搬送される複数の光学表示部品に対し、前記光学表示部品ごとに、前記第一光学部材シートを貼り合わせた後の前記光学表示部品を撮像してもよい。
【００２０】
本発明の第３の態様は、光学表示部品の一方の面に、前記光学表示部品の表示領域よりも大きい第一光学部材シートを貼り合わせ、前記第一光学部材シートを貼り合わせた後の前記光学表示部品を撮像し、前記光学表示部品の撮像データに基づいて、前記光学表示部品の表示領域の外周縁に沿って前記第一光学部材シートを切断することにより、貼合した前記第一光学部材シートの領域であって前記光学表示部品の前記表示領域と対向する第一領域と、前記第一光学部材シートの前記第一領域の外側の領域である第二領域とを切り離すことを実行するプログラムを記録したコンピュータ読み取り可能な記録媒体である。
前記光学表示部品を撮像する工程では、ライン上を搬送される複数の光学表示部品に対し、前記光学表示部品ごとに、前記第一光学部材シートを貼り合わせた後の前記光学表示部品を撮像してもよい。
【００２１】
上記光学部材貼合体の製造装置では、前記切断装置が、前記光学部材シートをレーザーカットする構成が好ましい。
【００２２】
また、本発明は、光学表示部品に光学部材を貼合してなる光学部材貼合体の製造方法において、前記光学表示部品に前記光学表示部品の表示領域よりも大きい光学部材シートを貼り合わせて貼合シートとする工程と、前記光学部材シートを貼り合わせた後の前記光学表示部品を撮像し、前記光学表示部品の撮像データに基づいて、前記光学表示部品の表示領域の外周縁に沿って前記光学部材シートを切断することにより、前記光学部材シートの前記表示領域との対向部分とその外側の余剰部分とを切り離し、前記光学部材シートから前記表示領域に対応する大きさの前記光学部材を切り出すことで、前記貼合シートから単一の前記光学表示部品及びこれに重なる前記光学部材を含む前記光学部材貼合体を切り出す工程とを含むことを特徴とする。
前記光学表示部品を撮像する工程では、ライン上を搬送される複数の光学表示部品に対し、前記光学表示部品ごとに、前記光学部材シートを貼り合わせた後の前記光学表示部品を撮像してもよい。
【発明の効果】
【００２３】
本発明によれば、表示領域よりも大きい光学部材シートを光学表示部品に貼合した後に、光学部材シートの余剰部分を切り離す。そのため、表示領域に対応するサイズの光学部材を光学表示部品の面上で形成することができる。これにより、光学部材を表示領域の際まで精度よく設けることができ、表示領域外側の額縁部を狭めて表示エリアの拡大及び機器の小型化を図ることができる。
また、表示領域よりも大きい光学部材シートに光学表示部品を貼合することで、光学部材シートの位置に応じてその光学軸方向が変化する場合でも、この光学軸方向に合わせて光学表示部品をアライメントして貼合することができる。これにより、光学表示部品に対する光学部材の光学軸方向の精度を向上させることができ、光学表示デバイスの精彩及びコントラストを高めることができる。
【図面の簡単な説明】
【００２４】
【図１】本発明の実施形態における光学表示デバイスのフィルム貼合システムの概略構成図である。
【図２】上記フィルム貼合システムの第二貼合装置周辺の斜視図である。
【図３】上記フィルム貼合システムの光学部材シートの光学軸方向とこれに貼合する光学表示部品とを示す斜視図である。
【図４】上記フィルム貼合システム中の第一貼合シートの断面図である。
【図５】上記フィルム貼合システムの第二切断装置中の第二貼合シートの断面図である。
【図６】上記フィルム貼合システムの第三切断装置中の第三貼合シートの平面図である。
【図７】図６のＡ−Ａ断面図である。
【図８】上記フィルム貼合システムを経た両面貼合パネルの断面図である。
【図９】液晶パネルに貼合した光学部材シートのレーザーによる切断端を示す断面図である。
【図１０】光学部材シート単体のレーザーによる切断端を示す断面図である。
【図１１】上記フィルム貼合システムの第一貼合装置周辺の変形例を示す概略構成図である。
【図１２】上記フィルム貼合システムの第三貼合装置周辺の変形例を示す概略構成図である。
【発明を実施するための形態】
【００２５】
以下、本発明の実施形態について図面を参照して説明する。本実施形態では、光学部材貼合体の製造装置を含むフィルム貼合システムについて説明する。
【００２６】
図１は、本実施形態のフィルム貼合システム１の概略構成を示す。フィルム貼合システム１は、例えば液晶パネルや有機ＥＬパネルといったパネル状の光学表示部品に、偏光フィルムや位相差フィルム、輝度上昇フィルムといったフィルム状の光学部材を貼合する。フィルム貼合システムは、前記光学表示部品及び光学部材を含んだ光学部材貼合体を製造する。フィルム貼合システム１では、前記光学表示部品として液晶パネルＰを用いる。フィルム貼合システム１の各部は、電子制御装置としての制御装置２０により統括制御される。
【００２７】
フィルム貼合システム１は、貼合工程の始発位置から終着位置まで、例えば駆動式のローラコンベヤ５を用いて液晶パネルＰを搬送しつつ、液晶パネルＰに順次所定の処理を施す。液晶パネルＰは、その表裏面を水平にした状態でローラコンベヤ５上を搬送される。
なお、図１の紙面左側は液晶パネルＰの搬送方向上流側（以下、パネル搬送上流側という）を示す。図１の紙面右側は液晶パネルＰの搬送方向下流側（以下、パネル搬送下流側という）を示す。
【００２８】
図６〜図８を併せて参照して説明する。なお、図７および図８において、液晶パネルＰの紙面上側は表示面側を示しており、紙面下側はバックライト側を示している。液晶パネルＰは平面視で長方形状である（図６参照）。液晶パネルＰの外周縁よりも所定幅だけ内側に、前記外周縁に沿う外形状を有する表示領域Ｐ４を形成する（図６参照）。液晶パネルＰは、後述する第二アライメント装置１４よりもパネル搬送上流側では、表示領域Ｐ４の短辺を概ね搬送方向に沿わせた向きで搬送される。液晶パネルＰは、前記第二アライメント装置１４よりもパネル搬送下流側では、表示領域Ｐ４の長辺を概ね搬送方向に沿わせた向きで搬送される。
【００２９】
この液晶パネルＰの表裏面に対して、長尺帯状の第一、第二及び第三光学部材シートＦ１，Ｆ２，Ｆ３から切り出した第一、第二及び第三光学部材Ｆ１１，Ｆ１２，Ｆ１３が、液晶パネルＰに適宜貼合される（図８参照）。本実施形態において、液晶パネルＰのバックライト側及び表示面側の両面には、偏光フィルムとしての第一光学部材Ｆ１１及び第三光学部材Ｆ１３がそれぞれ貼合される（図８参照）。液晶パネルＰのバックライト側の面には、第一光学部材Ｆ１１に重ねて輝度向上フィルムとしての第二光学部材Ｆ１２がさらに貼合される（図８参照）。
【００３０】
図１に示すように、フィルム貼合システム１は、第一アライメント装置１１、第一貼合装置１２、第一切断装置１３、第二アライメント装置１４を備える。
第一アライメント装置１１は、上流工程からローラコンベヤ５のパネル搬送上流側上に液晶パネルＰを搬送すると共に液晶パネルＰのアライメントを行う。第一貼合装置１２は、第一アライメント装置１１よりもパネル搬送下流側に設けられる。第一切断装置１３は、第一貼合装置１２に近接して設けられる。第二アライメント装置１４は、第一貼合装置１２及び第一切断装置１３よりもパネル搬送下流側に設けられる。
【００３１】
また、フィルム貼合システム１は、第二貼合装置１５、第二切断装置１６、第三アライメント装置１７、第三貼合装置１８、第三切断装置１９を備える。
第二貼合装置１５は、第二アライメント装置１４よりもパネル搬送下流側に設けられる。第二切断装置１６は、第二貼合装置１５に近接して設けられる。第三アライメント装置１７は、第二貼合装置１５及び第二切断装置１６よりもパネル搬送下流側に設けられる。第三貼合装置１８は、第三アライメント装置１７よりもパネル搬送下流側に設けられる。第三切断装置１９は、第三貼合装置１８に近接して設けられる。
【００３２】
第一アライメント装置１１は、液晶パネルＰを保持して垂直方向及び水平方向で自在に搬送する。また、第一アライメント装置１１は、液晶パネルＰのパネル搬送上流側及び下流側の端部を撮像する一対のカメラＣを有する（図３参照）。カメラＣの撮像データは制御装置２０に送られる。
制御装置２０は、前記撮像データと、予め記憶した後述の光学軸方向の検査データとに基づき、第一アライメント装置１１を作動させる。なお、後述する第二及び第三アライメント装置１４，１７も同様に前記カメラＣを有し、このカメラＣの撮像データをアライメントに用いる。
【００３３】
第一アライメント装置１１は、制御装置２０に作動制御され、第一貼合装置１２に対する液晶パネルＰのアライメントを行う。このとき、液晶パネルＰは、搬送方向と直交する水平方向（以下、部品幅方向という）での位置決めと、垂直軸回りの回転方向（以下、単に回転方向という）での位置決めとがなされる。この状態で、液晶パネルＰが第一貼合装置１２の貼合位置に導入される。
【００３４】
第一貼合装置１２は、貼合位置に導入された長尺の第一光学部材シートＦ１の上面に対して、その上方を搬送される液晶パネルＰの下面（バックライト側）を貼合する。第一貼合装置１２は、搬送装置１２ａ、挟圧ロール１２ｂを備える。
搬送装置１２ａは、第一光学部材シートＦ１を巻回した第一原反ロールＲ１から第一光学部材シートＦ１を巻き出しつつ、第一光学部材シートＦ１をその長手方向に沿って搬送する。挟圧ロール１２ｂは、搬送装置１２ａが搬送する第一光学部材シートＦ１の上面に、ローラコンベヤ５が搬送する液晶パネルＰの下面を貼合する。
【００３５】
搬送装置１２ａは、ロール保持部１２ｃ、ｐｆ回収部１２ｄを備える。ロール保持部１２ｃは、第一光学部材シートＦ１を巻回した第一原反ロールＲ１を保持すると共に、第一光学部材シートＦ１をその長手方向に沿って繰り出す。ｐｆ回収部１２ｄは、第一光学部材シートＦ１の下面に重なって第一光学部材シートＦ１と共に繰り出されたプロテクションフィルムｐｆを第一貼合装置１２のパネル搬送下流側で回収する。
【００３６】
挟圧ロール１２ｂは、互いに軸方向を平行にして配置された一対の貼合ローラを有する。一対の貼合ローラ間には所定の間隙が形成され、この間隙内が第一貼合装置１２の貼合位置となる。前記間隙内には、液晶パネルＰ及び第一光学部材シートＦ１が重なり合って導入される。これら液晶パネルＰ及び第一光学部材シートＦ１が、前記貼合ローラ間で挟圧されつつパネル搬送下流側に送り出される。これにより、複数の液晶パネルＰを所定の間隔を空けつつ長尺の第一光学部材シートＦ１の上面に連続的に貼合した第一貼合シートＦ２１が形成される。
【００３７】
図４および図５を併せて参照して説明する。なお、図４および図５において、液晶パネルＰの紙面上側はバックライト側を示しており、紙面下側は表示面側を示している。第一切断装置１３はｐｆ回収部１２ｄよりもパネル搬送下流側に位置する。第一切断装置１３は、第一光学部材シートＦ１の所定箇所（搬送方向で並ぶ液晶パネルＰの間）を前記部品幅方向の全幅にわたって切断する。これにより、第一切断装置１３は、第一貼合シートＦ２１の第一光学部材シートＦ１を切断して表示領域Ｐ４よりも大きい（本実施形態では液晶パネルＰよりも大きい）シート片Ｆ１Ｓとする。なお、第一切断装置１３は、切断刃を用いても、レーザーカッターを用いても良い。前記切断により、液晶パネルＰの下面に表示領域Ｐ４よりも大きい前記シート片Ｆ１Ｓが貼合された第一片面貼合パネルＰ１１が形成される。
【００３８】
図１を参照して説明する。第二アライメント装置１４は、例えばローラコンベヤ５上の第一片面貼合パネルＰ１１を保持して垂直軸回りに９０°回転させる。これにより、表示領域Ｐ４の短辺と略平行に搬送されていた第一片面貼合パネルＰ１１が、表示領域Ｐ４の長辺と略平行に搬送されるように方向転換する。なお、前記回転は、第一光学部材シートＦ１の光軸方向に対して、液晶パネルＰに貼合する他の光学部材シートの光学軸方向が直角に配置される場合になされる。
【００３９】
第二アライメント装置１４は、前記第一アライメント装置１１と同様のアライメントを行う。すなわち、第二アライメント装置１４は、制御装置２０に記憶された光学軸方向の検査データ及び前記カメラＣの撮像データに基づき、第二貼合装置１５に対する第一片面貼合パネルＰ１１の部品幅方向及び回転方向での位置決めを行う。この状態で、第一片面貼合パネルＰ１１が第二貼合装置１５の貼合位置に導入される。
【００４０】
第二貼合装置１５は、貼合位置に導入された長尺の第二光学部材シートＦ２の上面に対して、その上方を搬送される第一片面貼合パネルＰ１１の下面（液晶パネルＰのバックライト側）を貼合する。第二貼合装置１５は、搬送装置１５ａ、挟圧ロール１５ｂを備える。
搬送装置１５ａは、第二光学部材シートＦ２を巻回した第二原反ロールＲ２から第二光学部材シートＦ２を巻き出しつつ第二光学部材シートＦ２をその長手方向に沿って搬送する。挟圧ロール１５ｂは、搬送装置１５ａが搬送する第二光学部材シートＦ２の上面にローラコンベヤ５が搬送する第一片面貼合パネルＰ１１の下面を貼合する。
【００４１】
搬送装置１５ａは、ロール保持部１５ｃ、第二回収部１５ｄを備える。
ロール保持部１５ｃは、第二光学部材シートＦ２を巻回した第二原反ロールＲ２を保持すると共に第二光学部材シートＦ２をその長手方向に沿って繰り出す。第二回収部１５ｄは、挟圧ロール１５ｂよりもパネル搬送下流側に位置する第二切断装置１６を経た第二光学部材シートＦ２の余剰部分を回収する。
【００４２】
挟圧ロール１５ｂは、互いに軸方向を平行にして配置された一対の貼合ローラを有する。一対の貼合ローラ間には所定の間隙が形成され、この間隙内が第二貼合装置１５の貼合位置となる。前記間隙内には、第一片面貼合パネルＰ１１及び第二光学部材シートＦ２が重なり合って導入される。これら第一片面貼合パネルＰ１１及び第二光学部材シートＦ２が、前記貼合ローラ間で挟圧されつつパネル搬送下流側に送り出される。これにより、複数の第一片面貼合パネルＰ１１を所定の間隔を空けつつ長尺の第二光学部材シートＦ２の上面に連続的に貼合した第二貼合シートＦ２２が形成される。
【００４３】
図２および図５を併せて参照して説明する。第二切断装置１６は挟圧ロール１５ｂよりもパネル搬送下流側に位置する。第二切断装置１６は、第二光学部材シートＦ２とその上面に貼合した第一片面貼合パネルＰ１１の第一光学部材シートＦ１のシート片Ｆ１Ｓとを同時に切断する。第二切断装置１６は例えばＣＯ２レーザーカッターである。第二切断装置１６は、第二光学部材シートＦ２と第一光学部材シートＦ１のシート片Ｆ１Ｓとを表示領域Ｐ４の外周縁に沿って（本実施形態では液晶パネルＰの外周縁に沿って）無端状に切断する。各光学部材シートＦ１，Ｆ２を液晶パネルＰに貼合した後にまとめてカットすることで、各光学部材シートＦ１，Ｆ２の光学軸方向の精度が高まる。また、各光学部材シートＦ１，Ｆ２間の光学軸方向のズレが無くなる。更に、第一切断装置１３での切断が簡素化される。
【００４４】
第二切断装置１６の切断により、液晶パネルＰの下面に第一及び第二光学部材Ｆ１１，Ｆ１２が重ねて貼合された第二片面貼合パネルＰ１２が形成される（図７参照）。このとき、第二片面貼合パネルＰ１２と、表示領域Ｐ４との対向部分（各光学部材Ｆ１１，Ｆ１２）が切り取られて、枠状に残る各光学部材シートＦ１，Ｆ２の余剰部分とが分離される。第二光学部材シートＦ２の余剰部分は複数連なって梯子状となる。この余剰部分が第一光学部材シートＦ１の余剰部分と共に第二回収部１５ｄに巻き取られる。
ここで、前記「表示領域Ｐ４との対向部分」とは、表示領域Ｐ４の大きさ以上、液晶パネルＰの外形状の大きさ以下の領域で、かつ電気部品取り付け部等の機能部分を避けた領域を示す。本実施形態では、平面視矩形状の液晶パネルＰにおける前記機能部分を除いた三辺では、液晶パネルＰの外周縁に沿って余剰部分をレーザーカットし、前記機能部分に相当する一辺では、液晶パネルＰの外周縁から表示領域Ｐ４側に適宜入り込んだ位置で余剰部分をレーザーカットしている。
【００４５】
図１を参照して説明する。第三アライメント装置１７は、液晶パネルＰの表示面側を上面にした第二片面貼合パネルＰ１２を表裏反転させて液晶パネルＰのバックライト側を上面にする。第三アライメント装置１７は、前記第一及び第二アライメント装置１１，１４と同様のアライメントを行う。すなわち、第三アライメント装置１７は、制御装置２０に記憶された光学軸方向の検査データ及び前記カメラＣの撮像データに基づき、第三貼合装置１８に対する第二片面貼合パネルＰ１２の部品幅方向及び回転方向での位置決めを行う。この状態で、第二片面貼合パネルＰ１２が第三貼合装置１８の貼合位置に導入される。
【００４６】
第三貼合装置１８は、貼合位置に導入された長尺の第三光学部材シートＦ３の上面に対して、その上方を搬送される第二片面貼合パネルＰ１２の下面（液晶パネルＰの表示面側）を貼合する。第三貼合装置１８は、搬送装置１８ａ、挟圧ロール１８ｂを備える。
搬送装置１８ａは、第三光学部材シートＦ３を巻回した第三原反ロールＲ３から第三光学部材シートＦ３を巻き出しつつ第三光学部材シートＦ３をその長手方向に沿って搬送する。挟圧ロール１８ｂは、搬送装置１８ａが搬送する第三光学部材シートＦ３の上面にローラコンベヤ５が搬送する第二片面貼合パネルＰ１２の下面を貼合する。
【００４７】
搬送装置１８ａは、ロール保持部１８ｃ、第三回収部１８ｄを備える。
ロール保持部１８ｃは、第三光学部材シートＦ３を巻回した第三原反ロールＲ３を保持すると共に第三光学部材シートＦ３をその長手方向に沿って繰り出す。第三回収部１８ｄは、挟圧ロール１８ｂよりもパネル搬送下流側に位置する第三切断装置１９を経た第三光学部材シートＦ３の余剰部分を回収する。
【００４８】
挟圧ロール１８ｂは、互いに軸方向を平行にして配置された一対の貼合ローラを有する。一対の貼合ローラ間には所定の間隙が形成され、この間隙内が第三貼合装置１８の貼合位置となる。前記間隙内には、第二片面貼合パネルＰ１２及び第三光学部材シートＦ３が重なり合って導入される。これら第二片面貼合パネルＰ１２及び第三光学部材シートＦ３が、前記貼合ローラ間で挟圧されつつパネル搬送下流側に送り出される。これにより、複数の第二片面貼合パネルＰ１２を所定の間隔を空けつつ長尺の第三光学部材シートＦ３の上面に連続的に貼合した第三貼合シートＦ２３が形成される。
【００４９】
第三切断装置１９は挟圧ロール１８ｂよりもパネル搬送下流側に位置し、第三光学部材シートＦ３を切断する。第三切断装置１９は第二切断装置１６と同様のレーザー加工機であり、第三光学部材シートＦ３を表示領域Ｐ４の外周縁に沿って（例えば液晶パネルＰの外周縁に沿って）無端状に切断する。
【００５０】
第三切断装置１９の切断により、第二片面貼合パネルＰ１２の下面に第三光学部材Ｆ１３が貼合された両面貼合パネルＰ１３が形成される（図８参照）。このとき、両面貼合パネルＰ１３と、表示領域Ｐ４との対向部分（第三光学部材Ｆ１３）が切り取られて枠状に残る第三光学部材シートＦ３の余剰部分とが分離される。第三光学部材シートＦ３の余剰部分は第二光学部材シートＦ２の余剰部分と同様に複数連なって梯子状をなす（図２参照）。この余剰部分が第三回収部１８ｄに巻き取られる。
【００５１】
両面貼合パネルＰ１３は、不図示の欠陥検査装置を経て欠陥（貼合不良等）の有無が検査された後、下流工程に搬送されて他の処理がなされる。
【００５２】
ここで、一般に長尺の光学フィルム（各光学部材シートＦ１，Ｆ２，Ｆ３に相当）は、二色性色素で染色した樹脂フィルムを一軸延伸させて製造されており、光学フィルムの光学軸の方向は樹脂フィルムの延伸方向と概ね一致する。しかし、光学フィルムの光学軸は、光学フィルム全体で均一ではなく、光学フィルムの幅方向で若干ばらついている。
【００５３】
このため、光学フィルムにその幅方向で複数の光学表示部品を貼合するような場合、光学フィルムの光学軸方向に合わせて光学表示部品のアライメントを行うことが望ましい。
これは、光学表示デバイス単位の光学軸のバラツキを抑えて精彩やコントラストを高めるという点で有効である。
【００５４】
偏光フィルムとしての光学フィルムは、一方向に振動する光以外の光を遮断するために、例えばヨウ素や二色性染料等により染色されている。なお、光学フィルムに剥離フィルムや保護フィルムがさらに積層されてもよい。
【００５５】
光学フィルムの光学軸方向を検査する検査装置は、光源、検光子を備える。
光源は、光学フィルムの表裏一側方に配置される。検光子は、光学フィルムの表裏他側方に配置される。検光子は、光源から照射されて光学フィルムを透過した光を受光し、この光の強度を検出することで、光学フィルムの光学軸を検出する。検光子は、例えば光学フィルムの幅方向で移動可能であり、光学フィルムの幅方向の任意箇所で光学軸を検査可能である。
【００５６】
本実施形態の場合、前記検査装置で得た各光学部材シートＦ１，Ｆ２，Ｆ３の光学軸方向を示す検査データは、各光学部材シートＦ１，Ｆ２，Ｆ３の長手方向位置と幅方向位置とに関連付けられて制御装置２０のメモリに記憶される。この検査後に各光学部材シートＦ１，Ｆ２，Ｆ３が巻き取られて各原反ロールＲ１，Ｒ２，Ｒ３をそれぞれ形成する。以下、各光学部材シートＦ１，Ｆ２，Ｆ３を光学部材シートＦＸ、各光学部材シートＦ１，Ｆ２，Ｆ３に貼合される液晶パネルＰ及び各片面貼合パネルＰ１１，Ｐ１２を光学表示部材ＰＸと総称することがある。
【００５７】
ここで、光学部材シートＦＸを構成する偏光子フィルムは、例えば二色性色素で染色したＰＶＡフィルムを一軸延伸して形成される。偏光子フィルムは、延伸する際のＰＶＡフィルムの厚さのムラや二色性色素の染色ムラ等に起因して、光学部材シートＦＸの幅方向内側と幅方向外側とで光学軸方向の相違が生じる傾向にある。
【００５８】
そこで、本実施形態では、制御装置２０に予め記憶した光学部材シートＦＸの各部における光学軸の面内分布の検査データに基づき、これらに貼合する光学表示部品ＰＸのアライメントを行う。そして、光学部材シートＦＸに光学表示部品ＰＸを貼合する。
【００５９】
具体的には、光学部材シートＦＸにおける光学表示部品ＰＸを貼合する部位の面内において、例えば所定の基準軸（長手方向軸等）に対する角度が最大の光学軸と最小の光学軸とを見出す。そして、これら各光学軸がなす角を二等分する軸を当該部位の平均的な光学軸として、この軸を基準に光学表示部品ＰＸのアライメントを行う。
【００６０】
これにより、光学部材シートＦＸの幅方向で異なる位置に光学表示部品ＰＸを貼合する場合にも、光学表示部品ＰＸの基準位置に対する光学部材シートＦＸの光学軸方向のバラツキを抑制できる。また、光学軸公差をほぼ０°（許容公差は±０．２５°）にすることができる。
【００６１】
なお、光学部材シートＦＸを巻き出しつつ光学軸方向を検出し、この検出データに基づき光学表示部品ＰＸのアライメントを行うようにしてもよい。また、前述した種々のアライメント手法は、光学部材シートＦＸの光学軸方向が０°及び９０°の場合に限らず、任意の角度の場合にも適用できる。
【００６２】
図３は比較的幅の広い光学部材シートＦＸにその幅方向で三つの光学表示部品ＰＸを並べて貼合する例を示す。しかし、これに限らず、二つ以下又は四つ以上の光学表示部品ＰＸを光学部材シートＦＸの幅方向で並べて貼合する構成としてもよい。また、比較的幅の狭い光学部材シートＦＸを幅方向に複数並べてこれらのそれぞれに光学表示部品ＰＸを貼合する構成としてもよい。
【００６３】
図４を参照して説明する。液晶パネルＰは、第一基板Ｐ１、第二基板Ｐ２、液晶層Ｐ３を備える。
第一基板Ｐ１は、例えばＴＦＴ基板からなる長方形状の基板である。第二基板Ｐ２は、第一基板Ｐ１に対向して配置される長方形状の基板である。液晶層Ｐ３は、第一基板Ｐ１と第二基板Ｐ２との間に封入される。なお、図示都合上、断面図の各層のハッチングを略すことがある。
【００６４】
図６および図７を参照して説明する。第一基板Ｐ１は、その外周縁の三辺を第二基板Ｐ２の対応する三辺に沿わせると共に、外周縁の残りの一辺を第二基板Ｐ２の対応する一辺よりも外側に張り出させる。これにより、第一基板Ｐ１の前記一辺側に第二基板Ｐ２よりも外側に張り出す電気部品取り付け部Ｐ５が設けられる。
【００６５】
図５および図７を参照して説明する。第二切断装置１６は、表示領域Ｐ４の外周縁をカメラ１６ａ等の検出手段で検出しつつ、表示領域Ｐ４の外周縁等に沿って第一及び第二光学部材シートＦ１，Ｆ２を切断する。また、第三切断装置１９は、表示領域Ｐ４の外周縁をカメラ１９ａ等の検出手段で検出しつつ、表示領域Ｐ４の外周縁等に沿って第三光学部材シートＦ３を切断する。表示領域Ｐ４の外側には、第一及び第二基板Ｐ１，Ｐ２を接合するシール剤等を配置する所定幅の額縁部Ｇが設けられる。この額縁部Ｇの幅内で各切断装置１６，１９によるレーザーカットがなされる。
【００６６】
図１０に示すように、樹脂製の光学部材シートＦＸを単独でレーザーカットすると、その切断端ｔが熱変形により膨れたり波打ったりすることがある。このため、レーザーカット後の光学部材シートＦＸを光学表示部品ＰＸに貼合する場合には、光学部材シートＦＸにエア混入や歪み等の貼合不良が生じ易い。
【００６７】
一方、本実施形態では、図９に示すように、光学部材シートＦＸを液晶パネルＰに貼合した後に光学部材シートＦＸをレーザーカットする。本実施形態では、光学部材シートＦＸの切断端ｔが液晶パネルＰのガラス面にバックアップされる。そのため、光学部材シートＦＸの切断端ｔの膨れや波打ち等が生じず、かつ液晶パネルＰへの貼合後であることから前記貼合不良も生じ得ない。
【００６８】
レーザー加工機の切断線の振れ幅（公差）は切断刃のそれよりも小さい。したがって本実施形態では、切断刃を用いて光学部材シートＦＸを切断する場合と比べて、前記額縁部Ｇの幅を狭めることが可能である。また、液晶パネルＰの小型化及び（又は）表示領域Ｐ４の大型化が可能である。これは、近年のスマートフォンやタブレット端末のように、筐体のサイズが制限される中で表示画面の拡大が要求される高機能モバイルへの適用に有効である。
【００６９】
また、光学部材シートＦＸを液晶パネルＰの表示領域Ｐ４に整合するシート片にカットした後に液晶パネルＰに貼合する場合、前記シート片及び液晶パネルＰそれぞれの寸法公差、並びにこれらの相対貼合位置の寸法公差が重なる。そのため、液晶パネルＰの額縁部Ｇの幅を狭めることが困難になる。つまり、表示エリアの拡大が困難になる。
【００７０】
一方、光学部材シートＦＸを液晶パネルＰに貼合した後に表示領域Ｐ４に合わせてカットする場合、切断線の振れ公差のみを考慮すればよい。そのため、額縁部Ｇの幅の公差を小さくすることができる（±０．１ｍｍ以下）。この点においても、液晶パネルＰの額縁部Ｇの幅を狭めることができる（表示エリアの拡大が可能となる）。
【００７１】
さらに、光学部材シートＦＸを刃物ではなくレーザーでカットすることで、切断時の力が液晶パネルＰに入力されず、液晶パネルＰの基板の端縁にクラックや欠けが生じ難くなり、ヒートサイクル等に対する耐久性が向上する。同様に、液晶パネルＰに非接触であるため、電気部品取り付け部Ｐ５に対するダメージも少ない。
なお、光学部材シートＦＸをレーザーでカットする場合において、レーザー照射の単位長さ当たりのエネルギーは、液晶パネルＰや光学部材シートＦＸの厚みや構成を考慮して決定することが好ましい。
本実施形態では、光学部材シートＦＸをレーザーでカットする場合において、単位長さ当たりのエネルギーが、０．０１〜０．１１（Ｊ／ｍｍ）の範囲内でレーザー照射を行うことが好ましい。レーザー照射において、単位長さ当たりのエネルギーが大きすぎると、光学部材シートＦＸをレーザーでカットする場合に、光学部材シートＦＸがダメージを受けるおそれがある。しかし、単位長さ当たりのエネルギーが、０．０１〜０．１１（Ｊ／ｍｍ）の範囲内でレーザー照射を行うことにより、光学部材シートＦＸがダメージを受けることを防ぐことができる。
【００７２】
図６に示すように、光学部材シートＦＸ（図６では第三光学部材シートＦ３）をレーザーカットする場合、例えば表示領域Ｐ４の一長辺の延長上にレーザーカットの始点ｐｔ１を設定する。そして、この始点ｐｔ１からまず前記一長辺の切断を開始する。レーザーカットの終点ｐｔ２は、レーザーが表示領域Ｐ４を一周して表示領域Ｐ４の始点側の短辺の延長上に至る位置に設定する。始点ｐｔ１及び終点ｐｔ２は、光学部材シートＦＸの余剰部分に所定の接続代を残し、光学部材シートＦＸを巻き取る際の張力に耐え得るように設定される。
【００７３】
以上説明したように、上記実施形態における光学部材貼合体の製造システムは、液晶パネルＰに光学部材Ｆ１１，Ｆ１２を貼合してなる第二片面貼合パネルＰ１２の製造システムにおいて、前記液晶パネルＰ（光学表示部品）の一方の面に、前記液晶パネルＰの表示領域Ｐ４よりも大きい光学部材シートＦ１，Ｆ２（第一光学部材シート）を貼り合わせる貼合装置１２，１５（第一貼合装置）と、前記貼合装置１２，１５が貼合した前記光学部材シートＦ１，Ｆ２の領域であって前記液晶パネルＰの前記表示領域Ｐ４と対向する第一領域と、前記光学部材シートＦ１，Ｆ２の前記第一領域の外側の領域である第二領域とを切り離す切断装置１６と、を備える。
【００７４】
同様に、上記実施形態における光学部材貼合体の製造システムは、第二片面貼合パネルＰ１２に光学部材Ｆ１３を貼合してなる両面貼合パネルＰ１３の製造システムにおいて、前記第二片面貼合パネルＰ１２の前記光学部材Ｆ１１，Ｆ１２とは反対側の面に、前記液晶パネルＰの表示領域Ｐ４よりも大きい光学部材シートＦ３に貼り合わせて第三貼合シートＦ２３とする貼合装置１８と、前記光学部材シートＦ３の前記表示領域Ｐ４との対向部分とその外側の余剰部分とを切り離し、前記光学部材シートＦ３から前記表示領域Ｐ４に対応する大きさの光学部材Ｆ１３を切り出すことで、前記第三貼合シートＦ２３から単一の前記液晶パネルＰ及びこれに重なる光学部材Ｆ１３を含む前記両面貼合パネルＰ１３を切り出す切断装置１９とを備える。
【００７５】
本実施形態では、上述したように、前記切断装置１９は、前記光学部材シートＦ１，Ｆ２をレーザーカットしても良い。
また、本実施形態では、上述したように、前記切断装置１９は、ＣＯ２レーザーカッターを用いて前記第一光学部材シートをレーザーカットしても良い。
また、本実施形態では、上述したように、前記切断装置１９は、前記光学部材シートＦ１，Ｆ２から前記表示領域Ｐ４に対応する大きさの前記光学部材シートＦ１，Ｆ２を切り出すことで、前記液晶パネルＰ及び前記光学部材シートＦ１，Ｆ２を含む第二貼合シートＦ２２（光学部材貼合体）を切り出しても良い。
また、本実施形態では、上述したように、前記貼合装置１２，１５は、前記第一領域として、前記表示領域の大きさ以上であって、前記液晶パネルＰの外形状の大きさ以下の領域を用いても良い。
また、本実施形態では、上述したように、前記貼合装置１２，１５は、前記光学部材シートＦ１，Ｆ２の下面と、前記液晶パネルＰの上面とが接するように貼合しても良い。
【００７６】
また、本実施形態では、上述したように、前記液晶パネルＰを撮像し、前記液晶パネルＰの前記表示領域Ｐ４の外周縁を検出するカメラＣ（撮像装置）を更に備えても良い。
また、本実施形態では、上述したように、前記切断装置１９は、前記カメラＣが検出した前記液晶パネルＰの前記表示領域Ｐ４の外周縁に沿って、前記光学部材シートＦ１，Ｆ２を切断しても良い。
また、本実施形態では、上述したように、前記液晶パネルＰを、前記貼合装置１２，１５、前記切断装置１９の順に搬送するローラコンベヤ５（第一搬送装置）を更に備えても良い。
【００７７】
また、本実施形態では、上述したように、前記光学部材シートＦ１，Ｆ２を、前記貼合装置１２，１５に搬送する搬送装置１２ａ（第二搬送装置）を更に備えても良い。
また、本実施形態では、上述したように、前記搬送装置１２ａは、前記切断装置１９で切り離した前記光学部材シートＦ１，Ｆ２の前記第２領域を回収する第二回収部１５ｄ（回収部）を備えても良い。
【００７８】
また、本実施形態では、上述したように、液晶パネルＰの他方の面に、前記液晶パネルＰの表示領域よりも大きい光学部材シートＦ３（第二光学部材シート）を貼り合わせる貼合装置１８（第二貼合装置）を更に備えても良い。
また、本実施形態では、上述したように、前記切断装置１９は、前記貼合装置１８が貼合した前記光学部材シートＦ３の領域であって前記液晶パネルＰの前記表示領域Ｐ４と対向する第三領域と、前記光学部材シートＦ３の前記第三領域の外側の領域である第四領域とを、前記第一領域と前記第二領域とを切り離すと同時に切り離しても良い。
【００７９】
この構成では、表示領域Ｐ４よりも大きい光学部材シートＦ１，Ｆ２，Ｆ３を液晶パネルＰに貼合した後に、光学部材シートＦ１，Ｆ２，Ｆ３の余剰部分を切り離す。これにより、表示領域Ｐ４に対応するサイズの光学部品Ｆ１１，Ｆ１２，Ｆ１３を液晶パネルＰの面上で形成することができる。これにより、光学部材Ｆ１１，Ｆ１２，Ｆ１３を表示領域Ｐ４の際まで精度よく設けることができ、表示領域Ｐ４外側の額縁部Ｇを狭めて表示エリアの拡大及び機器の小型化を図ることができる。
また、表示領域Ｐ４よりも大きい光学部材シートＦ１，Ｆ２，Ｆ３に液晶パネルＰに貼合する。そのため、光学部材シートＦ１，Ｆ２，Ｆ３の位置に応じてその光学軸方向が変化する場合でも、この光学軸方向に合わせて液晶パネルＰをアライメントして貼合することができる。これにより、液晶パネルＰに対する光学部材Ｆ１１，Ｆ１２，Ｆ１３の光学軸方向の精度を向上させることができ、光学表示デバイスの精彩及びコントラストを高めることができる。
【００８０】
また、上記光学部材貼合体の製造装置は、前記切断装置１６，１９が、前記光学部材シートＦ１，Ｆ２，Ｆ３をレーザーカットする。そのため、光学部材シートＦ１，Ｆ２，Ｆ３を刃物でカットする場合と比べて、液晶パネルＰに力が及ばず、クラックや欠けが生じ難くなり、液晶パネルＰの安定した耐久性を得ることができる。また、貼合前の光学部材シートＦ１，Ｆ２，Ｆ３を単独でレーザーカットする場合と比べて、貼合不具の発生を防止することができる。
【００８１】
ここで、上記実施形態における光学部材貼合体の製造方法は、前記液晶パネルＰ（光学表示部品）の一方の面に、前記液晶パネルＰの表示領域Ｐ４よりも大きい光学部材シートＦ１，Ｆ２（第一光学部材シート）を貼り合わせ、貼合した前記光学部材シートＦ１，Ｆ２の領域であって前記液晶パネルＰの前記表示領域Ｐ４と対向する第一領域と、前記光学部材シートＦ１，Ｆ２の前記第一領域の外側の領域である第二領域とを切り離す。
【００８２】
同様に、上記実施形態における光学部材貼合体の製造方法は、前記第二片面貼合パネルＰ１２の前記光学部材Ｆ１１，Ｆ１２とは反対側の面に、前記第二片面貼合パネルＰ１２の表示領域Ｐ４よりも大きい光学部材シートＦ３に貼り合わせて第三貼合シートＦ２３とする工程と、前記光学部材シートＦ３の前記表示領域Ｐ４との対向部分とその外側の余剰部分とを切り離し、前記光学部材シートＦ３から前記表示領域Ｐ４に対応する大きさの光学部材Ｆ１３を切り出すことで、前記第三貼合シートＦ２３から単一の前記液晶パネルＰ及びこれに重なる光学部材Ｆ１３を含む前記両面貼合パネルＰ１３を切り出す工程とを含む。
【００８３】
なお、図１１はフィルム貼合システム１の変形例を示す。これは、図１の構成に対して、前記第一貼合装置１２に代わる第一貼合装置１２’と、前記第一切断装置１３に代わる第一切断装置１３’とを備える点で異なる。その他の、前記実施形態と同一構成には同一符号を付して詳細説明は省略する。
【００８４】
第一貼合装置１２’は、前記搬送装置１２ａに代わる搬送装置１２ａ’を備える。搬送装置１２ａ’は、前記搬送装置１２ａに比して、ロール保持部１２ｃ及びｐｆ回収部１２ｄの他に、第一回収部１２ｅをさらに有する。第一回収部１２ｅは、第一切断装置１３’を経て梯子状に切り残された第一光学部材シートＦ１の余剰部分を巻き取る。
【００８５】
第一切断装置１３’は、ｐｆ回収部１２ｄよりもパネル搬送下流側で第一回収部１２ｅよりもパネル搬送上流側に位置する。第一切断装置１３’は、第一光学部材シートＦ１から表示領域Ｐ４よりも大きいシート片を切り抜くべく、第一光学部材シートＦ１を切断する。第一切断装置１３’は前記第二及び第三切断装置１６，１９と同様のレーザー加工機である。第一切断装置１３’は、第一光学部材シートＦ１を表示領域Ｐ４外側の所定ラインに沿って無端状に切断する。
【００８６】
第一切断装置１３’の切断により、液晶パネルＰの下面に表示領域Ｐ４よりも大きい第一光学部材シートＦ１のシート片が貼合された第一片面貼合パネルＰ１１’が形成される。このとき、第一片面貼合パネルＰ１１’と、梯子状に切り残された第一光学部材シートＦ１の余剰部分とが分離され、第一光学部材シートＦ１の余剰部分が第一回収部１２ｅに巻き取られる。
【００８７】
図１２はフィルム貼合システム１の他の変形例を示す。これは、図１の構成に対して、前記第三アライメント装置１７及び第三貼合装置１８に代わる第三アライメント装置１７’及び第三貼合装置１８’を備える点で異なる。その他の、前記実施形態と同一構成には同一符号を付して詳細説明は省略する。
【００８８】
第三アライメント装置１７’は、前記第三アライメント装置１７に比して、パネル表裏反転機能を無くし、前記第一及び第二アライメント装置１１，１４と同様のアライメント機能のみを有することで、比較的簡単な構成とされる。すなわち、第三アライメント装置１７’は、制御装置２０に記憶された光学軸方向の検査データ及び前記カメラＣの撮像データに基づき、第三貼合装置１８’に対する第二片面貼合パネルＰ１２の部品幅方向及び回転方向での位置決めを行う。この状態で、第二片面貼合パネルＰ１２が第三貼合装置１８’の貼合位置に導入される。
【００８９】
第三貼合装置１８’は、前記第三貼合装置１８に比して、貼合位置に導入された長尺の第三光学部材シートＦ３の下面に対して、その下方を搬送される第二片面貼合パネルＰ１２の上面（液晶パネルＰの表示面側）を貼合する。第三貼合装置１８’は、前記搬送装置１８ａ及び挟圧ロール１８ｂの天地を逆にした構成を有する。これにより、第三光学部材シートＦ３の貼合面が下向きになり、この貼合面に対する傷付きや塵埃等の異物の付着が抑制される。
【００９０】
なお、本発明は上記実施形態及び変形例に限られるものではなく、例えば前記第三貼合装置１８’と同様、第一及び第二貼合装置１２，１５の天地を逆にすることも可能である。また、これら天地を逆にした各貼合装置と前記第一貼合装置１２’及び第一切断装置１３’とを適宜組み合わせることも可能である。
また、原反ロールから巻き出した光学部材シートに光学表示部品を貼合する構成ではなく、大判の光学部材シートに複数の光学表示部品を適宜貼合する構成であってもよい。
そして、上記実施形態及び変形例における構成は本発明の一例であり、当該発明の要旨を逸脱しない範囲で種々の変更が可能である。
【００９１】
上述の制御装置２０は内部に、コンピュータシステムを有している。そして、上述した各装置の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが、そのプログラムを実行するようにしても良い。
【００９２】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【産業上の利用可能性】
【００９３】
本発明は、表示領域周辺の額縁部を縮小して表示エリアの拡大及び機器の小型化を図ることができる光学部材貼合体の製造システム、製造方法及び記録媒体などに適用することができる。
【符号の説明】
【００９４】
１２  第一貼合装置（貼合装置）
１５  第二貼合装置（貼合装置）
１８  第三貼合装置（貼合装置）
１６  第二切断装置（切断装置）
１９  第三切断装置（切断装置）
Ｐ  液晶パネル（光学表示部品）
Ｐ４  表示領域
Ｆ１  第一光学部材シート（光学部材シート）
Ｆ２  第二光学部材シート（光学部材シート）
Ｆ３  第三光学部材シート（光学部材シート）
Ｆ１１  第一光学部材（光学部材）
Ｆ１２  第二光学部材（光学部材）
Ｆ１３  第三光学部材（光学部材）
Ｆ２２  第二貼合シート（貼合シート）
Ｆ２３  第三貼合シート（貼合シート）
Ｐ１２  第二片面貼合パネル（光学部材貼合体）
Ｐ１３  両面貼合パネル（光学部材貼合体）
【図１】
0005360946.tif 000002
【図２】
0005360946.tif 000003
【図３】
0005360946.tif 000004
【図４】
0005360946.tif 000005
【図５】
0005360946.tif 000006
【図６】
0005360946.tif 000007
【図７】
0005360946.tif 000008
【図８】
0005360946.tif 000009
【図９】
0005360946.tif 000010
【図１０】
0005360946.tif 000011
【図１１】
0005360946.tif 000012
【図１２】
0005360946.tif 000013